(57)【特許請求の範囲】
【請求項１】
自装置の状態を監視する監視手段と、
前記状態に応じて、前記自装置の利用の有無を判断する判断手段と、
前記判断手段が、前記自装置が利用されていないと判断した場合、起動中のアプリケーションを終了する制御手段と、
前記制御手段が、前記自装置が利用されていない場合に前記起動中のアプリケーションを終了する前に、前記起動中のアプリケーションの終了をユーザに報知する報知手段と、
バックライトが第１の明るさで点灯されている第１状態、バックライトが第１の明るさよりも暗い第２の明るさで点灯されている第２状態、及びバックライトが消灯されている第３状態のいずれかの状態となるディスプレイと、
前記ユーザから、前記起動中のアプリケーションの利用継続の指示を受け付ける受付手段と、
を備え、
前記報知手段は、前記ディスプレイを前記第１状態から前記第２状態に変更することで、前記起動中のアプリケーションの終了をユーザに報知し、
前記受付手段が前記起動中のアプリケーションの利用継続の指示を受け付けなかった場合、前記制御手段は、前記起動中のアプリケーションを終了し、
前記受付手段が前記起動中のアプリケーションの利用継続の指示を受け付けた場合、前記制御手段は、前記起動中のアプリケーションを終了しない携帯端末。
【請求項２】
請求項１に記載の携帯端末において、
時間を計測する計測手段をさらに備え、
前記監視手段が、前記自装置の前記状態が前記アプリケーションの利用時の姿勢か否かを監視し、
前記監視手段が前記自装置の前記状態が前記アプリケーションの利用時の姿勢でないことを検知してからの継続時間を、前記計測手段が計測し、
前記判断手段が、前記継続時間が一定時間以上、継続した場合、前記自装置が利用されていないと判断する携帯端末。
【請求項３】
請求項１又は２に記載の携帯端末において、
前記監視手段は、加速度センサを用い、前記自装置の画面の角度が所定の範囲にあるか否かを監視することで、前記自装置の前記状態が前記アプリケーションの利用時の姿勢か否かを監視する携帯端末。
【請求項４】
携帯端末によって実行される消費電力制御方法であって、
前記携帯端末は、バックライトが第１の明るさで点灯されている第１状態、バックライトが第１の明るさよりも暗い第２の明るさで点灯されている第２状態、及びバックライトが消灯されている第３状態のいずれかの状態となるディスプレイを備え、
当該消費電力制御方法は、
自装置の状態を監視し、
前記状態に応じて、前記自装置の利用の有無を判断し、
前記自装置が利用されていないと判断した場合、起動中のアプリケーションを終了する前に、前記ディスプレイを前記第１状態から前記第２状態に変更することで、前記起動中のアプリケーションの終了をユーザに報知し、
前記ユーザから、前記起動中のアプリケーションの利用継続の指示を受け付け、
前記ユーザに報知した後、前記起動中のアプリケーションの利用継続の指示を受け付けなかった場合、前記起動中のアプリケーションを終了し、
前記ユーザに報知した後、前記起動中のアプリケーションの利用継続の指示を受け付けた場合、前記起動中のアプリケーションを終了しない消費電力制御方法。
【請求項５】
請求項４に記載の携帯端末の消費電力制御方法において、
前記携帯端末は、時間を計測するタイマを備え、
前記自装置の前記状態が前記アプリケーションの利用時の姿勢か否かを監視し、
前記自装置の前記状態が前記アプリケーションの利用時の姿勢でないことを検知してからの継続時間を、前記タイマが計測し、
前記継続時間が一定時間以上、継続した場合、前記自装置が利用されていないと判断する携帯端末の消費電力制御方法。
【請求項６】
携帯端末の制御プログラムであって、
前記携帯端末は、バックライトが第１の明るさで点灯されている第１状態、バックライトが第１の明るさよりも暗い第２の明るさで点灯されている第２状態、及びバックライトが消灯されている第３状態のいずれかの状態となるディスプレイを備え、
当該制御プログラムは、
自装置の状態を監視する手順、
前記状態に応じて、前記自装置の利用の有無を判断する手順、
前記判断する手順で、前記自装置が利用されていないと判断した場合、起動中のアプリケーションを終了する前に、前記ディスプレイを前記第１状態から前記第２状態に変更することで、前記起動中のアプリケーションの終了をユーザに報知する手順、
前記ユーザから、前記起動中のアプリケーションの利用継続の指示を受け付ける手順、
前記ユーザに報知した後、前記起動中のアプリケーションの利用継続の指示を受け付けなかった場合、前記起動中のアプリケーションを終了する手順、及び
前記ユーザに報知した後、前記起動中のアプリケーションの利用継続の指示を受け付けた場合、前記起動中のアプリケーションを終了しない手順をコンピュータに実行させるための携帯端末の制御プログラム。
【発明の詳細な説明】
【技術分野】
【０００１】
本発明は、携帯端末、携帯端末の消費電力制御方法、および携帯端末の制御プログラムに関する。
【背景技術】
【０００２】
近年、携帯端末は、多種多様な機能を備えてシステムが複雑化し、消費電力の増加に伴い電池残量の減少が激しく、これを防ぐことは急務となっている。
【０００３】
加速度センサを搭載し、移動を検出する電子機器の省電力化方法の一例が特許文献１に記載されている。特許文献１の電子機器の省電力化方法は、使用状態で移動を伴い、未使用状態で移動を伴わない電子機器において、加速度センサからの出力信号が割り込み処理開始レベルを超えているとき、割り込み信号を発生し、タイマのカウントを開始する。
【０００４】
加速度センサからの出力信号が割り込み処理開始レベルを超えている間は、タイマがタイムアウトする前に新たな割り込み信号が発生するので、タイムアウトすることなく、通常動作繰り返し処理が実行される。加速度センサからの出力信号が割り込み処理開始レベルより低くなった時、すなわち、電子機器が未使用状態となった時、タイマがタイムアウトする。タイムアウトを検出したとき、ＣＰＵクロック等を停止させることで、電子機器が使用されていないときの消費電力を低減する。
【先行技術文献】
【特許文献】
【０００５】
【特許文献１】特開２００７−３０４８１６号公報
【発明の概要】
【発明が解決しようとする課題】
【０００６】
上述した電子機器の省電力化方法においては、使用状態で移動を伴い、未使用状態で移動を伴わない電子機器の一定時間以上の未使用状態を加速度センサを用いて検出してＣＰＵクロックを停止させるため、ユーザの意図に反して省電力モードへ落ち、不便であるという問題点があった。
【０００７】
本発明の目的は、上述した課題であるユーザの意図に反して省電力モードに落ちる不便さを解決する携帯端末、携帯端末の消費電力制御方法、および携帯端末の制御プログラムを提供することにある。
【課題を解決するための手段】
【０００８】
本発明の携帯端末は、
自装置の状態を監視する監視手段と、
前記状態に応じて、前記自装置の利用の有無を判断する判断手段と、
前記判断手段が、前記自装置が利用されていないと判断した場合、起動中のアプリケーションを終了する制御手段と、
前記制御手段が、前記自装置が利用されていない場合に前記起動中のアプリケーションを終了する前に、前記起動中のアプリケーションの終了をユーザに報知する報知手段と、
バックライトが第１の明るさで点灯されている第１状態、バックライトが第１の明るさよりも暗い第２の明るさで点灯されている第２状態、及びバックライトが消灯されている第３状態のいずれかの状態となるディスプレイと、
前記ユーザから、前記起動中のアプリケーションの利用継続の指示を受け付ける受付手段と、
を備え、
前記報知手段は、前記ディスプレイを前記第１状態から前記第２状態に変更することで、前記起動中のアプリケーションの終了をユーザに報知し、
前記受付手段が前記起動中のアプリケーションの利用継続の指示を受け付けなかった場合、前記制御手段は、前記起動中のアプリケーションを終了し、
前記受付手段が前記起動中のアプリケーションの利用継続の指示を受け付けた場合、前記制御手段は、前記起動中のアプリケーションを終了しない。
【０００９】
本発明の携帯端末の消費電力制御方法は、
携帯端末によって実行される消費電力制御方法であって、
前記携帯端末は、バックライトが第１の明るさで点灯されている第１状態、バックライトが第１の明るさよりも暗い第２の明るさで点灯されている第２状態、及びバックライトが消灯されている第３状態のいずれかの状態となるディスプレイを備え、
当該消費電力制御方法は、
自装置の状態を監視し、
前記状態に応じて、前記自装置の利用の有無を判断し、
前記自装置が利用されていないと判断した場合、起動中のアプリケーションを終了する前に、前記ディスプレイを前記第１状態から前記第２状態に変更することで、前記起動中のアプリケーションの終了をユーザに報知し、
前記ユーザから、前記起動中のアプリケーションの利用継続の指示を受け付け、
前記ユーザに報知した後、前記起動中のアプリケーションの利用継続の指示を受け付けなかった場合、前記起動中のアプリケーションを終了し、
前記ユーザに報知した後、前記起動中のアプリケーションの利用継続の指示を受け付けた場合、前記起動中のアプリケーションを終了しない。
【００１０】
本発明のコンピュータプログラムは、
携帯端末の制御プログラムであって、
前記携帯端末は、バックライトが第１の明るさで点灯されている第１状態、バックライトが第１の明るさよりも暗い第２の明るさで点灯されている第２状態、及びバックライトが消灯されている第３状態のいずれかの状態となるディスプレイを備え、
当該制御プログラムは、
自装置の状態を監視する手順、
前記状態に応じて、前記自装置の利用の有無を判断する手順、
前記判断する手順で、前記自装置が利用されていないと判断した場合、起動中のアプリケーションを終了する前に、前記ディスプレイを前記第１状態から前記第２状態に変更することで、前記起動中のアプリケーションの終了をユーザに報知する手順、
前記ユーザから、前記起動中のアプリケーションの利用継続の指示を受け付ける手順、
前記ユーザに報知した後、前記起動中のアプリケーションの利用継続の指示を受け付けなかった場合、前記起動中のアプリケーションを終了する手順、及び
前記ユーザに報知した後、前記起動中のアプリケーションの利用継続の指示を受け付けた場合、前記起動中のアプリケーションを終了しない手順をコンピュータに実行させる。
【００１１】
なお、以上の構成要素の任意の組合せ、本発明の表現を方法、装置、システム、記録媒体、コンピュータプログラムなどの間で変換したものもまた、本発明の態様として有効である。
【００１２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１３】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００１４】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１５】
本発明によれば、消費電力を抑制する携帯端末、携帯端末の消費電力制御方法、および携帯端末の制御プログラムが提供される。
【図面の簡単な説明】
【００１６】
【図１】本発明の実施の形態に係る携帯端末の構成を示す機能ブロック図である。
【図２】本発明の実施の形態に係る携帯端末のハードウェア構成を示すブロック図である。
【図３】本発明の実施の形態に係る携帯端末の動作の一例を示すフローチャートである。
【図４】本発明の実施の形態に係る携帯端末の構成を示す機能ブロック図である。
【図５】本発明の実施の形態に係る携帯端末の動作の一例を示すフローチャートである。
【図６】本発明の実施の形態に係る携帯端末の構成を示す機能ブロック図である。
【図７】本発明の実施の形態に係る携帯端末の動作の一例を示すフローチャートである。
【図８】本発明の実施の形態に係る携帯端末の構成を示す機能ブロック図である。
【図９】本発明の実施の形態に係る携帯端末の動作の一例を示すフローチャートである。
【図１０】本発明の実施例の携帯端末の動作の一例を示すフローチャートである。
【発明を実施するための形態】
【００１７】
以下、本発明の実施の形態について、図面を用いて説明する。尚、すべての図面において、同様な構成要素には同様の符号を付し、適宜説明を省略する。
【００１８】
（第１の実施の形態）
図１は、本発明の実施の形態に係る携帯端末１００の構成を示す機能ブロック図である。
本実施形態の携帯端末１００は、自装置の状態を監視する監視部１０２と、状態に応じて、自装置の利用の有無を判断する判断部１０４と、判断部１０４が、自装置が利用されていないと判断した場合、起動中のアプリケーションを終了する制御部１０６と、制御部１０６が、自装置が利用されていない場合に起動中のアプリケーションを終了する前に、起動中のアプリケーションの終了をユーザに報知する報知部１１０と、を備える。
【００１９】
本実施形態において、携帯端末１００は、たとえば、携帯電話機、ＰＨＳ（Personal Handyphone System）、ＰＤＡ（Personal Digital Assistants）、スマートフォン、タブレット端末、携帯型ゲーム機などである。
なお、以下の各図において、本発明の本質に関わらない部分の構成については省略してあり、図示されていない。
【００２０】
図２は、図１の携帯端末１００のハードウェア構成を示すブロック図である。同図に示すように、本実施形態の携帯端末１００は、ＣＰＵ（Central Processing Unit）２と、ＲＯＭ（Read Only Memory）４と、ＲＡＭ（Random Access Memory）６と、無線通信部８と、無線通信用アンテナ１０と、テレビチューナモジュール１２と、テレビ用アンテナ１４と、操作部１６と、操作受付部１８と、表示部２０と、表示制御部２２と、加速度センサ２４と、スピーカ２６と、レシーバ２８と、マイク３０と、音声制御部３２と、電池３４と、電源制御部３６と、を備える。
【００２１】
ＣＰＵ２は、携帯端末１００の各要素とバス４０を介して接続され、各要素とともに携帯端末１００全体を制御する。
【００２２】
ＲＯＭ４は、携帯端末１００を動作させるためのプログラムや、そのプログラムが動作する際に使用する各種設定データなどを記憶するとともに、各種コンテンツやアプリケーションデータ等の各種データを含むユーザデータを記憶する。ＲＡＭ６は、プログラムが動作するための作業領域など一時的にデータを記憶する領域を有する。
【００２３】
ＣＰＵ２が、ＲＯＭ４に記憶されるプログラムをＲＡＭ６に読み出して実行することにより、携帯端末１００の図１の各ユニットの各機能を実現することができる。
【００２４】
このように、携帯端末１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２５】
本実施形態のコンピュータプログラムは、携帯端末１００を実現させるためのコンピュータに、自装置の状態を監視する手順、状態に応じて、自装置の利用の有無を判断する手順、判断する手順で、自装置が利用されていないと判断した場合、起動中のアプリケーションを終了する前に、起動中のアプリケーションの終了をユーザに報知する手順、ユーザに報知した後、起動中のアプリケーションを終了する手順、を実行させるように記述されている。
【００２６】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００２７】
また、本発明のコンピュータプログラムは、以下の各実施形態においても、同様に各図の携帯端末の各ユニットの各機能を実現するためのコンピュータに、各図のフローチャートの手順を実行させるように記述される。
【００２８】
図２に戻り、無線通信部８は、無線通信用アンテナ１０を介して、図示されない基地局と無線通信を行う。無線通信部８が送受信した通信データはＣＰＵ２が処理し、たとえば、通話や携帯サイトへのアクセス、メール送受信などを行うことができる。
【００２９】
テレビチューナモジュール１２は、テレビ用アンテナ１４を介して電波を受信し、ＣＰＵ２が処理して、テレビ画像再生データを生成し、表示部２０に再生表示を行う。操作部１６は、携帯端末１００の筐体に設けられた操作キー、操作ボタン、スイッチ、ジョグダイヤル、タッチパッド、タッチパネルなどを含む。操作受付部１８は、ユーザによる操作部１６の操作を受け付け、ＣＰＵ２に通知する。
【００３０】
表示部２０は、携帯端末１００の筐体に設けられたＬＥＤ（Light Emitting Diode）表示器や、液晶ディスプレイ、有機ＥＬ（ElectroLuminescence）ディスプレイなどを含む。表示制御部２２は、ＣＰＵ２からの指示に従い、表示部２０に各種画面表示を行う。
【００３１】
加速度センサ２４は、携帯端末１００の状態情報を検知し、ＣＰＵ２に送信し、演算処理される。
音声制御部３２は、ＣＰＵ２からの指示に従い、スピーカ２６やレシーバ２８から音声出力を行うとともに、マイク３０から音声入力を行い、各種の音情報を制御する。
電池３４は、充電式電池などであり、電源制御部３６が、電池３４から携帯端末１００への電力の供給を制御する。
【００３２】
このように構成された携帯端末１００における通話時のデータの流れは以下のとおりである。
無線通信用アンテナ１０を介して無線通信部８に入力される音声データは、ＣＰＵ２により処理され、音声制御部３２を介して、スピーカ２６またはレシーバ２８へ出力される。逆に、発話音声は、マイク３０から入力され、音声制御部３２を介してＣＰＵ２にて処理され、無線通信部８を介して無線通信用アンテナ１０から基地局へと出力される。
【００３３】
また、データ通信時のデータの流れは以下のとおりである。
操作部１６からキーデータ等の入力を受け付け、ＣＰＵ２にて処理されてＲＡＭ６にて一時保管され、適時、ＣＰＵ２から無線通信部８を介して無線通信用アンテナ１０から基地局へと出力する。また、無線通信用アンテナ１０を介して無線通信部８に入力される通信データは、ＣＰＵ２により処理され、ＲＡＭ６にて一時保管された後、表示部２０に表示される。
【００３４】
図１に戻り、本実施形態の携帯端末１００は、監視部１０２と、判断部１０４と、制御部１０６と、実行部１０８と、報知部１１０と、を備える。
【００３５】
監視部１０２は、たとえば、図２の加速度センサ２４を用いることができ、たとえば、自装置の画面の角度が、水平方向に対して３０度から９０度程度の所定の範囲にあるか否かを監視する。
この範囲にある場合、ユーザは携帯端末１００を利用して、たとえば、テレビ試聴を行っていると想定される。
【００３６】
本実施形態において、携帯端末１００の姿勢に変化が発生した場合、加速度センサ２４からその変化情報がＣＰＵ２に入力される。ＣＰＵ２が、状況に応じて、ＲＡＭ６へ状態を記録し、監視部１０２、判断部１０４など各ユニットへ制御の通知を行う。
【００３７】
判断部１０４は、たとえば、監視部１０２が監視した自装置の画面の角度が、前記範囲を超えた状態が一定時間以上継続している場合、自装置を利用していないと判断する。
制御部１０６は、判断部１０４が、自装置が利用されていないと判断した場合、起動中のアプリケーションを終了する。
【００３８】
実行部１０８は、各種アプリケーションを実行する。
実行部１０８が実行するアプリケーションのうち、制御部１０６が終了対象とするアプリケーションは、ユーザの操作を伴わず、長時間動作するプログラムであり、たとえば、ワンセグ試聴、ビデオ動画再生、ウェブサイトの動画再生、ブラウザなどを行うプログラムを含むことができる。
【００３９】
報知部１１０は、たとえば、表示部２０のディスプレイにメッセージを表示する、画像（アイコンなど）を表示する、表示部２０のＬＥＤを点滅点灯する、スピーカ２６またはレシーバ２８から音声メッセージまたは警告音を出力する、バイブレーション（不図示）を駆動することで報知することができる。また、表示部２０のディスプレイのバックライトを消灯することで、報知することができる。
【００４０】
具体的には、たとえば、表示部２０に「アプリケーションが長時間実行されたままです。節電のため終了します。」、「節電のため、長時間利用されていない可能性のあるアプリケーションを終了します。」などのメッセージを表示する。
【００４１】
このように構成された本実施形態の携帯端末１００の消費電力制御方法について、以下に説明する。図３は、本実施形態の携帯端末１００の動作の一例を示すフローチャートである。
【００４２】
本実施形態の携帯端末１００の消費電力制御方法は、携帯端末１００の監視部１０２が、自装置の状態（利用時の姿勢）を監視し（ステップＳ１０１）、携帯端末１００の判断部１０４が、状態に応じて、自装置の利用の有無を判断する（ステップＳ１０３）。判断部１０４が、自装置が利用されていないと判断した場合（ステップＳ１０３のＮＯ）、起動中のアプリケーションを終了する前に、報知部１１０が、起動中のアプリケーションの終了をユーザに報知し（ステップＳ１０５）、制御部１０６が、ユーザに報知した前記起動中のアプリケーションを終了する（ステップＳ１０７）。
【００４３】
判断部１０４が、自装置が利用されていると判断した場合（ステップＳ１０３のＹＥＳ）、ステップＳ１０１に戻り、アプリケーションの利用状態の監視を続ける。
【００４４】
以上、説明したように、本発明の実施の形態に係る携帯端末１００によれば、ユーザが終了し忘れた起動中のアプリケーションを終了することができるで、不必要な消費電力を抑制することができる。このとき、ユーザにアプリケーションの終了を報知した上でアプリケーションを終了するので、ユーザの意図に反して省電力モードに移行することなどを防ぐことができる。
【００４５】
なお、本発明の上記監視機能は、ユーザの意志で使用するか否かを選択することができてもよい。
【００４６】
（第２の実施の形態）
図４は、本発明の実施の形態に係る携帯端末２００の構成を示す機能ブロック図である。
本実施形態の携帯端末２００は、上記実施の形態とは、アプリケーション終了をユーザに報知し、ユーザからアプリケーション利用継続の指示を受け付けなかったとき、アプリケーションを終了する点で相違する。
本実施形態の携帯端末２００は、図１の上記実施形態の携帯端末１００と同様な構成を有するとともに、さらに、受付部２０２を備える。
【００４７】
本実施形態の携帯端末２００において、ユーザから、起動中のアプリケーションの利用継続の指示を受け付ける受付部２０２をさらに備え、受付部２０２が起動中のアプリケーションの利用継続の指示を受け付けなかった場合、制御部１０６は、起動中のアプリケーションを終了する。
【００４８】
受付部２０２は、図２の表示部２０にアプリケーションの利用を継続するか否かのメッセージ、たとえば、「アプリケーションの利用を続けますか？」などのメッセージを表示するとともに、「はい（続ける）」、「いいえ（終了する）」などの操作ボタンを提示し、操作部１６を用いたユーザの操作を操作受付部１８が受け付けることで、ユーザからアプリケーションの利用継続の指示を受け付ける。
【００４９】
あるいは、表示部２０に、「アプリケーションを終了します。よいですか？」など終了を確認するメッセージを表示してもよい。この場合は、表示部２０に「はい（終了）」、「いいえ（利用継続）」などの操作ボタンを提示し、操作部１６を用いたユーザの操作を操作受付部１８が受け付けることで、ユーザからアプリケーションの終了または利用継続の指示を受け付ける。
【００５０】
このように構成された本実施形態の携帯端末２００の動作について、以下に説明する。図５は、本実施形態の携帯端末２００の動作の一例を示すフローチャートである。
本実施形態のフローチャートは、図３の上記実施形態のフローチャートと同様なステップＳ１０１〜ステップＳ１０７を有するとともに、さらに、ステップＳ１０５の後にステップＳ２０１を有する。以下、図４および図５を用いて説明する。
【００５１】
図５において、携帯端末２００では、実行部１０８（図４）がアプリケーションを起動中であるとする。ステップＳ１０５で、携帯端末２００の報知部１１０（図４）がユーザに起動中のアプリケーションの終了を報知した後、携帯端末２００の受付部２０２（図４）が、ユーザから、起動中のアプリケーションの利用継続の指示を受け付ける（ステップＳ２０１）。起動中のアプリケーションの利用継続の指示を受け付けなかった場合（ステップＳ２０１のＮＯ）、制御部１０６（図４）が、起動中のアプリケーションを終了する（ステップＳ１０７）。また、ステップＳ２０１で、起動中のアプリケーションの終了の指示を受け付けた場合も、利用継続の指示を受け付けなかったものとして（ステップＳ２０１のＮＯ）、ステップＳ１０７に進む。なお、ステップＳ２０１でユーザの指示が所定時間待っても応答がなかった場合、すなわち、利用継続および終了のいずれの指示も受け付けなかった場合にも、利用継続の指示を受け付けなかったものとして（ステップＳ２０１のＮＯ）、ステップＳ１０７に進む。
【００５２】
また、ステップＳ２０１で、受付部２０２が起動中のアプリケーションの利用継続の指示を受け付けた場合（ステップＳ２０１のＹＥＳ）、ステップＳ１０１に戻る。このように、ユーザの指示に従い、起動中のアプリケーションの利用を継続することができる。
【００５３】
以上、説明したように、本実施形態の携帯端末２００によれば、上記実施形態と同様な効果を奏するとともに、ユーザが利用継続の操作をした場合、アプリケーションを終了せず、利用継続の操作をしなかった場合にアプリケーションを終了するので、ユーザが利用継続を望む場合には、ユーザの意図を確認した上でアプリケーションを継続できる。一方、ユーザが携帯端末２００を利用していない時に操作もできない状況でも、自動的にアプリケーションを終了することができるので、消費電力を効率良く低減できる。
【００５４】
（第３の実施の形態）
図６は、本発明の実施の形態に係る携帯端末３００の構成を示す機能ブロック図である。
本実施形態の携帯端末３００では、上記実施の形態とは、携帯端末３００の利用状態を、タイマを用いて携帯端末３００の姿勢の継続時間を測定して判断する点で相違する。
本実施形態の携帯端末３００は、図１の上記実施形態の携帯端末１００と同様な構成を有するとともに、さらに、タイマ３０２を備える。
後述するように、本実施形態は、図４の上記実施形態の携帯端末２００と同様な構成にさらにタイマ３０２を備えた構成としてもよい。
【００５５】
本実施形態において、携帯端末３００は、時間を計測する計測部（タイマ３０２）をさらに備え、監視部１０２が、自装置の状態がアプリケーションの利用時の姿勢か否かを監視し、監視部１０２が自装置の状態がアプリケーション利用時の姿勢でないことを検知してからの継続時間を、タイマ３０２が計測し、判断部１０４が、継続時間が一定時間以上継続した場合、自装置が利用されていないと判断する。
【００５６】
タイマ３０２は、監視部１０２が、自装置の状態が、アプリケーション利用時の姿勢でないことを検知したとき、カウントを開始し、予め決められた一定時間を経過したとき、タイムアウトし、判断部１０４に通知する。
【００５７】
タイマ３０２は、監視部１０２が、自装置の状態が、アプリケーション利用時の姿勢であることが検知された場合には、カウントを停止し、カウンタをリセットする。
タイマ３０２がアプリケーションの利用を監視する時間は、特に限定されないが、たとえば、２０分、３０分、１時間などとすることができる。この時間は、ユーザがメニュー画面などで設定変更することもできる。また、アプリケーション毎に設定できてもよい。
【００５８】
このように構成された本実施形態の携帯端末３００の動作について、以下に説明する。図７は、本実施形態の携帯端末３００の動作の一例を示すフローチャートである。以下、図６および図７を用いて説明する。
【００５９】
図７の本実施形態のフローチャートは、図３の上記実施形態のフローチャートと同様なステップＳ１０１、ステップＳ１０５、およびステップＳ１０７を有するとともに、さらに、ステップＳ３０１〜ステップＳ３０７を有する。
【００６０】
図７において、携帯端末３００では、実行部１０８がアプリケーションを起動中であるとする。
本実施形態において、携帯端末３００の監視部１０２が、自装置の状態がアプリケーションの利用時の姿勢か否かを監視する（ステップＳ３０１）。そして、携帯端末３００のタイマ３０２が、自装置の状態がアプリケーション利用時の姿勢でないこと（ステップＳ３０１のＮＯ）を検知してからの継続時間を計測する（ステップＳ３０３）。継続時間が一定時間以上継続した場合（ステップＳ３０５のＹＥＳ）、携帯端末３００の判断部１０４が、自装置が利用されていないと判断する。そして、報知部１１０が起動中のアプリケーションの終了をユーザに報知する（ステップＳ１０５）。
【００６１】
その後、制御部１０６が、起動中のアプリケーションを終了する（ステップＳ１０７）。
一方、自装置の状態がアプリケーション利用時の姿勢であることを検知した場合（ステップＳ３０１のＹＥＳ）、タイマ３０２がカウント中のカウンタをリセットし(ステップ３０７)、ステップＳ１０１に戻る。
また、継続時間が一定時間以上継続していない場合（ステップＳ３０５のＮＯ）、ステップＳ１０１に戻り、携帯端末３００におけるアプリケーション利用状態の監視を続ける。
【００６２】
以上、説明したように、本実施形態の携帯端末３００は、自装置の状態がアプリケーション利用時の姿勢か否かを監視し、アプリケーションの利用時の姿勢でないことが一定時間以上継続した場合にアプリケーションの終了をユーザに報知する構成とした。その結果、本実施形態の３００によれば、上記実施形態と同様な効果を奏するとともに、さらに、ある程度時間が経過してからアプリケーションを終了するので、ユーザの意図に反して、頻繁にアプリケーション終了の報知がなされないので、使い勝手がよい。
【００６３】
以上、図面を参照して本発明の実施形態について述べたが、これらは本発明の例示であり、上記以外の様々な構成を採用することもできる。
たとえば、図８に示すように、他の実施形態において、携帯端末３２０は、図１の上記実施形態の携帯端末１００と同様な構成を有するとともに、さらに、図４の上記実施形態の携帯端末２００と同様な受付部２０２と、図６の上記実施形態の携帯端末３００と同様なタイマ３０２と、を備えてもよい。
【００６４】
このように構成された本実施形態の携帯端末３２０の動作について、以下に説明する。図９は、本実施形態の携帯端末３２０の動作の一例を示すフローチャートである。
【００６５】
本実施形態のフローチャートは、図３の上記実施形態のフローチャートと同様なステップＳ１０１、ステップＳ１０５、ステップＳ１０７を有し、図５の上記実施形態のフローチャートと同様なステップＳ２０１を有し、さらに図７の上記実施形態のフローチャートと同様なステップＳ３０１〜ステップＳ３０７を有する。
本実施形態の携帯端末３２０によれば、上記実施形態と同様な効果を奏する。
【００６６】
また、他の実施形態において、報知部１１０は、ユーザにアプリケーションの終了を報知するメッセージの表示に替えて、たとえば、表示部２０のディスプレイのバックライトを一段階下げて暗くすることで、ユーザにアプリケーションの終了待機状態に入ったことを報知することもできる。ユーザが、操作部１６の何らかのキーを操作すると、アプリケーションの終了処理を中止し、利用を継続できる構成としてもよい。この構成によれば、より単純な構成で、消費電力を低減することができる。
【実施例】
【００６７】
以下、本発明の実施例の携帯端末について説明する。
本実施例の携帯端末は、図８の携帯端末３２０と同様な機能ブロックを有する。また、携帯端末３２０は、図２の携帯端末１００と同様なコンピュータからなる。
図１０は、本実施例の携帯端末３２０の動作の一例を示すフローチャートである。以下、図２、図８および図１０を用いて説明する。
【００６８】
まず、携帯端末３２０の操作部１６（図２）の電源キーをユーザが押下したことを操作受付部１８（図２）が受け付け、携帯端末３２０の電源がオンされ、ＣＰＵ２が本体の起動処理を実行する（図１０のステップＳ４０１）。
【００６９】
その後、操作部１６の各種キーをユーザが押下したことを操作受付部１８が受け付け、たとえば、テレビ試聴のアプリケーション起動の指示を受け付ける（図１０のステップＳ４０３）。
【００７０】
次に、監視部１０２（図８）が、加速度センサ２４（図２）から入力される情報から、携帯端末３２０が設定された一定の姿勢であることを示す値、ここでは、たとえば、Ｚ軸方向の値がα以上か否かを監視する（図１０のステップＳ４０５）。ここで、携帯端末３２０の設定された一定の姿勢とは、ユーザが携帯端末３２０のアプリケーションを利用しているときの姿勢である。
【００７１】
そして、加速度センサ２４から入力される情報から、携帯端末３２０が設定された一定の姿勢であることを示す値、たとえば、Ｚ軸方向の値がα以上であれば（図１０のステップＳ４０７のＹＥＳ）、判断部１０４（図８）が、アプリケーションの利用は継続状態と判断して、ステップＳ３０７に進む。このとき、タイマ３０２（図８）がカウント中でない場合は、図１０のステップＳ３０７の処理はバイパスして、ステップＳ４０５に戻る。
また、ステップＳ３０７に進んだとき、既にタイマ３０２がカウント中の場合は、アプリケーションの利用は継続状態と判断されたので、監視用のタイマ３０２をリセットし、ステップＳ４０５に戻る。
【００７２】
一方、加速度センサ２４から入力される情報から、携帯端末３２０が設定された一定の姿勢であることを示す値、たとえば、Ｚ軸方向の値がα未満であれば（図１０のステップＳ４０７のＮＯ）、判断部１０４が、ユーザがテレビを見ていない可能性があると判断して、タイマ３０２のカウントを開始する（図１０のステップＳ３０３）。タイマ３０２は、テレビアプリケーションの未使用の状態の継続時間を計測する。
【００７３】
そして、タイマ３０２が計測している時間が、設定された一定時間を経過しているか監視し（図１０のステップＳ３０５）、経過していたら（図１０のステップＳ３０５のＹＥＳ）、次の図１０のステップＳ１０５に進む。一方、一定時間が経過していない間は（図１０のステップＳ３０５のＮＯ）、図１０のステップＳ４０５に戻る。そして、監視部１０２が自装置の状態の監視（ステップＳ４０５）を続け、加速度センサ２４の加速度のＺ軸方向の値が引き続きα未満ならば（図１０のステップＳ４０７のＮＯ）、タイマ３０２が継続時間の計測（ステップＳ３０３）を続ける。
【００７４】
図１０のステップＳ１０５では、ユーザに対してアプリケーションを継続するか否かの警告画面を表示する。ユーザが操作部１６の操作キーを操作して、テレビ視聴を継続する指示をしたことを操作受付部１８を介して受付部２０２が受け付けた場合（図１０のステップＳ２０１のＹＥＳ）に、図１０のステップＳ４０５に戻る。
【００７５】
ユーザの反応が無い場合（図１０のステップＳ２０１のＮＯ）、制御部１０６が、ユーザが携帯端末３２０を使用していないと判断してアプリケーションを終了する（図１０のステップＳ１０７）。さらに、携帯端末３２０の表示部２０の画面表示をオフしたり、バックライトをオフするなど動作状態を最小限にする省電力モードへ遷移する（図１０のステップＳ４０９）。なお、図１０のステップＳ２０１で、アプリケーション終了の指示を受け付けた場合も、図１０のステップＳ１０７に進む。
【００７６】
以上説明したように、本発明の実施例の携帯端末によれば、上記実施形態と同様な効果を奏するとともに、ユーザが、操作可能な状況にあるなしに関係なく、ユーザが利用継続の操作をしなかった場合にアプリケーションを終了するので、ユーザが端末を利用していない時に操作もできない状況でも、自動的に終了することができる。また、端末を利用している時には、ユーザの意図を確認した上でアプリケーションを終了するので、ユーザの意図に反してアプリケーションを終了するなどの動作をすることがなくなり、適切な処理ができる。
【００７７】
以上、実施形態および実施例を参照して本願発明を説明したが、本願発明は上記実施形
態および実施例に限定されるものではない。本願発明の構成や詳細には、本願発明のスコ
ープ内で当業者が理解し得る様々な変更をすることができる。
以下、参考形態の例を付記する。
１．  自装置の状態を監視する監視手段と、
前記状態に応じて、前記自装置の利用の有無を判断する判断手段と、
前記判断手段が、前記自装置が利用されていないと判断した場合、起動中のアプリケーションを終了する制御手段と、
前記制御手段が、前記自装置が利用されていない場合に前記起動中のアプリケーションを終了する前に、前記起動中のアプリケーションの終了をユーザに報知する報知手段と、
を備える携帯端末。
２．  １．に記載の携帯端末において、
前記ユーザから、前記起動中のアプリケーションの利用継続の指示を受け付ける受付手段をさらに備え、
前記受付手段が前記起動中のアプリケーションの利用継続の指示を受け付けなかった場合、前記制御手段は、前記起動中のアプリケーションを終了する携帯端末。
３．  １．または２．に記載の携帯端末において、
時間を計測する計測手段をさらに備え、
前記監視手段が、前記自装置の前記状態が前記アプリケーションの利用時の姿勢か否かを監視し、
前記監視手段が前記自装置の前記状態が前記アプリケーションの利用時の姿勢でないことを検知してからの継続時間を、前記計測手段が計測し、
前記判断手段が、前記継続時間が一定時間以上、継続した場合、前記自装置が利用されていないと判断する携帯端末。
４．  １．乃至３．いずれかに記載の携帯端末において、
前記監視手段は、加速度センサを用い、前記自装置の画面の角度が所定の範囲にあるか否かを監視することで、前記自装置の前記状態が前記アプリケーションの利用時の姿勢か否かを監視する携帯端末。
５．  携帯端末が、
自装置の状態を監視し、
前記状態に応じて、前記自装置の利用の有無を判断し、
前記自装置が利用されていないと判断した場合、起動中のアプリケーションを終了する前に、前記起動中のアプリケーションの終了をユーザに報知し、
前記ユーザに報知した後、前記起動中のアプリケーションを終了する携帯端末の消費電力制御方法。
６．  ５．に記載の携帯端末の消費電力制御方法において、
前記携帯端末が、
前記ユーザから、前記起動中のアプリケーションの利用継続の指示を受け付け、
前記起動中のアプリケーションの利用継続の指示を受け付けなかった場合、前記起動中のアプリケーションを終了する携帯端末の消費電力制御方法。
７．  ５．または６．に記載の携帯端末の消費電力制御方法において、
前記携帯端末は、時間を計測するタイマを備え、
前記自装置の前記状態が前記アプリケーションの利用時の姿勢か否かを監視し、
前記自装置の前記状態が前記アプリケーションの利用時の姿勢でないことを検知してからの継続時間を、前記タイマが計測し、
前記継続時間が一定時間以上、継続した場合、前記自装置が利用されていないと判断する携帯端末の消費電力制御方法。
８．  携帯端末の制御プログラムであって、
自装置の状態を監視する手順、
前記状態に応じて、前記自装置の利用の有無を判断する手順、
前記判断する手順で、前記自装置が利用されていないと判断した場合、起動中のアプリケーションを終了する前に、前記起動中のアプリケーションの終了をユーザに報知する手順、
前記ユーザに報知した後、前記起動中のアプリケーションを終了する手順をコンピュータに実行させるための携帯端末の制御プログラム。
【符号の説明】
【００７８】
２ ＣＰＵ
４ ＲＯＭ
６ ＲＡＭ
８ 無線通信部
１０ 無線通信用アンテナ
１２ テレビチューナモジュール
１４ テレビ用アンテナ
１６ 操作部
１８ 操作受付部
２０ 表示部
２２ 表示制御部
２４ 加速度センサ
２６ スピーカ
２８ レシーバ
３０ マイク
３２ 音声制御部
３４ 電池
３６ 電源制御部
４０ バス
１００ 携帯端末
１０２ 監視部
１０４ 判断部
１０６ 制御部
１０８ 実行部
１１０ 報知部
２００ 携帯端末
２０２ 受付部
３００ 携帯端末
３０２ タイマ
３２０ 携帯端末
【図１】
0005891594.tif 000002
【図２】
0005891594.tif 000003
【図３】
0005891594.tif 000004
【図４】
0005891594.tif 000005
【図５】
0005891594.tif 000006
【図６】
0005891594.tif 000007
【図７】
0005891594.tif 000008
【図８】
0005891594.tif 000009
【図９】
0005891594.tif 000010
【図１０】
0005891594.tif 000011